(57)【要約】【課題】外れやすいもののゴム管をプラグユニットに接続すること自体は可能である。そのため、誤って接続した場合、ゴム管が接続されたものと誤解してガス器具の使用を開始したあとでゴム管が外れるおそれがある。また、故意にゴム管を接続したあと、何らかの方法でゴム管をプラグユニットに固定することも考えられる。【解決手段】ガス通路を閉鎖する弁体４を設けると共に、継手部材Ｊをプラグ本体２に接続する際の筒状部材Ｃの突出によって弁体４を開弁させる可動子３３を設け、かつゴム管をプラグ本体２に接続しようとした場合に、カバー３の開口部にゴム管が当たってゴム管の先端が開弁機構に接触することを阻止する。【選択図】  図３
2010210037.tif 000002
【特許請求の範囲】
【請求項１】
先端に進退自在に筒状部材を有し、連結状態ではこの筒状部材が先端側に所定距離突出する継手部材が連結されるプラグユニットにおいて、プラグユニットの内部に、ガス通路を閉鎖する弁部材を設けると共に、継手部材をプラグユニットに接続する際の筒状部材の突出によって弁部材を開弁させる開弁機構を設け、かつゴム管をプラグユニットに接続しようとした場合にゴム管の先端が開弁機構に接触することを阻止する阻止部材を設けたことを特徴とするプラグユニット。
【請求項２】
上記開弁機構に、筒状部材の突出により筒状部材に押されて移動する可動子を設け、この可動子に、可動子を戻す操作部を設けて、操作部に対する操作により筒状部材を継手部材側に押すことにより継手部材をプラグユニットから取り外すようにしたことを特徴とするプラグユニット。
【請求項３】
弁部材の一部を筒状部材の突出位置に設けて、筒状部材で弁部材を直接押して移動させることにより弁部材を開弁させることを特徴とする請求項１に記載のプラグユニット。
【発明の詳細な説明】
【技術分野】
【０００１】
本発明は、ガス器具に取り付けられ、ガスコードの先端に設けられた継手部材が連結されるプラグユニットに関する。
【背景技術】
【０００２】
ガスコードと呼ばれる強化されたゴム管の先端に継手部材を取り付けると共に、ガス器具側にプラグユニットを設けておき、継手部材をプラグユニットにワンタッチで着脱するようにしたものが知られている。このプラグユニットは通常のゴム管を取り付けるためのプラグより長さが短いため、誤ってプラグユニットにゴム管を接続すると、簡単に外れて使用することができない。ただし、プラグユニットにゴム管を連結して、さらにゴム管の外側からゴム管を締め付けるホース止めを用いれば一見接続されたかのように錯覚してしまう。そして、このようにホース止めで無理矢理ゴム管を留めた状態で使用すると、ゴム管が外れやすく、好ましくない。
【０００３】
そこで、プラグユニットを囲繞する筒状のカバー部材をプラグユニットに固定して、誤ってプラグユニットにゴム管を接続しようとしても、カバー部材が邪魔になってホース止めを取り付けることができないようにすることにより、ゴム管が接続できなくするものが知られている（例えば、特許文献１参照）。
【先行技術文献】
【特許文献】
【０００４】
【特許文献１】特開平１１−６３３４４号公報（図２）
【発明の概要】
【発明が解決しようとする課題】
【０００５】
上記特許文献１に記載されたものでは、外れやすいもののゴム管をプラグユニットに接続すること自体は可能である。そのため、誤って接続した場合、ゴム管が接続されたものと誤解してガス器具の使用を開始したあとでゴム管が外れるおそれがある。また、故意にゴム管を接続したあと、何らかの方法でゴム管をプラグユニットに固定することも考えられる。ただし、このようにゴム管を固定したとしても確実に固定することはきわめて困難であり、ゴム管を接続したまま使用し続けることは好ましくない。
【０００６】
そこで本発明は、上記の問題点に鑑み、プラグユニットにゴム管を接続したとしてもガス器具にガスが供給されないようにしてガス器具が使用できなくすることのできるプラグユニットを提供することを課題とする。
【課題を解決するための手段】
【０００７】
上記課題を解決するために本発明によるプラグユニットは、先端に進退自在に筒状部材を有し、連結状態ではこの筒状部材が先端側に所定距離突出する継手部材が連結されるプラグユニットにおいて、プラグユニットの内部に、ガス通路を閉鎖する弁部材を設けると共に、継手部材をプラグユニットに接続する際の筒状部材の突出によって弁部材を開弁させる開弁機構を設け、かつゴム管をプラグユニットに接続しようとした場合にゴム管の先端が開弁機構に接触することを阻止する阻止部材を設けたことを特徴とする。
【０００８】
プラグユニットに継手部材を接続すれば筒状部材が開弁機構を作動させて弁部材を開弁させる。これにより、ガスコードから供給されるガスをガス器具側へ流すことができる。ゴム管を接続しようとした際には開弁機構が作動しないので弁部材は開弁されず、したがって、ゴム管から供給されるガスはガス器具側へと流れない。
【０００９】
上記開弁機構に、筒状部材の突出により筒状部材に押されて移動する可動子を設け、この可動子に、可動子を戻す操作部を設けて、操作部に対する操作により筒状部材を継手部材側に押すことにより継手部材をプラグユニットから取り外すようにしてもよい。
【００１０】
あるいは、弁部材の一部を筒状部材の突出位置に設けて、筒状部材で弁部材を直接押して移動させることにより弁部材を開弁させるようにしてもよい。
【発明の効果】
【００１１】
以上の説明から明らかなように、本発明は、継手部材を接続した場合に弁部材を開弁させ、ゴム管を接続したのでは弁部材が開弁しないようにしたので、誤って、あるいは故意にゴム管をプラグユニットに接続してもガス器具が作動しないので、ゴム管の使用を阻止することができる。
【図面の簡単な説明】
【００１２】
【図１】本発明の一実施の形態の構成を示す図
【図２】第１の実施形態におけるプラグユニットの斜視図
【図３】その断面図
【図４】第２の実施形態におけるプラグユニットの斜視図
【図５】その断面図
【図６】第３の実施形態におけるプラグユニットの断面図
【図７】第３の実施形態に用いる弁部材の斜視図
【発明を実施するための形態】
【００１３】
図１を参照して、ガス器具であるファンヒータＦＨの裏面にはガスコードが接続されるプラグユニット１が設けられている。図２を参照して、このプラグユニット１にはファンヒータＦＨに対して所定の回転角度範囲で回転自在に取り付けられたＬ字状のプラグ本体２が設けられている。図３を合わせて参照して、このプラグ本体２の先端部分を含めて囲うカバー３を設けた。このカバー３の開口部の内周面３０の直径は継手部材Ｊの筒状部材Ｃの外径より大きく、かつ図示しないゴム管の外径より小さく設定されている。したがって、カバー３には筒状部材Ｃを挿入することはできるが、ゴム管を挿入することはできない。このようにカバー３が阻止部材として機能するようにした。
【００１４】
カバー３の内部には継手部材Ｊをプラグ本体２に接続する際に、筒状部材Ｃにより押されて移動する可動子３２が内蔵されている。この可動子３２の外周面には等間隔で４個の操作部３２ａが突設されている。各操作部３２ａはカバー３に設けたスリット３１を通って外部に突出しており、外部から操作部３２ａに触れることができると共に可動子３２が移動する際のガイドとなっている。
【００１５】
可動子３２から図において上方に延びるアーム３２ｂが設けられている。このアーム３２ｂは先端が湾曲して、弁軸４に接触している。また弁軸４との接触面に対して反対側の面には突起３２ｃが形成されている。そして、このアーム３２ｂの先端をカバーするガード３３が設けられており、さらにこのガード３３の内面には突起３３ａが設けられている。
【００１６】
一方、弁軸４の端部には弁部材である弁体４１が取り付けられており、バネの付勢力により通常は閉弁状態で保持されている。継手部材Ｊをプラグ本体２に取り付ける際に、筒状部材Ｃが継手部材Ｊから突出する。すると可動子３２は図において上方に押し上げられる。可動子３２に対して一体に形成されているアーム３２ｂも同時に上方に移動する。すると、アーム３２ｂに設けた突起３２ｃがガード３３の突起３３ａに当接してアーム３２ｂを図において右側に撓ませる。すると、アーム３２ｂの撓みによって弁軸４が図において右側に押し込まれる。弁軸４の先端には弁体４１が固定されているので、弁軸４の移動によって弁体４１は開弁する。
【００１７】
継手部材Ｊをプラグ本体２から外す際には、操作部３２ａを指で挟むことによって可動子３２を図において下げる。すると、可動子３２に押されて筒状部材Ｃが継手部材Ｊ側に戻され、継手部材Ｊがプラグ本体２から外れる。
【００１８】
上記の構成の他、図４および図５に示す構成を採用しても良い。このものでは下カバー５ａと上カバー５ｂとでプラグ本体２を囲み、内部に第１の可動子６と第２の可動子７とを内蔵した。なお、下カバー５ａの開口部の内周面５０の直径は上記の実施形態と同じく、ゴム管の外径より小さく設定しているので、下カバー５ａが阻止部材として機能する。
【００１９】
上記第２の可動子７には例えば４本の脚部７１を設けておき、筒状部材Ｃに押されて第１の可動子６が上昇すると、第１の可動子６が脚部７１の下端に当接して、第２の可動子７を押し上げるようにした。また、第２の可動子７の上面には操作部７２が設けられており、第２の可動子７が押し上げられると、操作部７２が上カバー５ｂから突出するようにした。
【００２０】
第２の可動子７には弁軸４が連結されており、第２の可動子７が押し上げられると弁軸４の先端の弁体４１が引き上げられて開弁するようにした。なお、継手部材Ｊを外す際には突出している操作部７２を押し戻すことにより第２の可動子７および第１の可動子６を押し下げ、第１の可動子６で筒状部材Ｃを継手部材Ｊ側に押し戻すようにした。
【００２１】
第３の実施の形態として、図６および図７に示す構成を採用しても良い。この構成では、図７に示すような弁体８を弁部材として用いた。この弁体８は円筒状の摺動部８３とこの摺動部８３の中心に位置する弁体部８２とが４本の支持部８４で相互に連結されている。また、プラグ本体２の先端部２１を別部材として、この先端部２１に突設した４本の連結棒２２を介してプラグ本体２と先端部２１とを連結した。
【００２２】
図示のように、この連結棒２２が支持部８４の相互間に位置するように、プラグ本体２と先端部２１とで弁体８を挟むと、弁体８は図示のように、プラグ本体２と先端部２１との間に形成された隙間内を往復移動できる。そして、通常はバネの付勢力により弁体部８２が閉弁状態になるようにした。
【００２３】
継手部材Ｊを連結する際、筒状部材Ｃが突出すると、摺動部８３に筒状部材Ｃが当接して、弁体８を図において上方に押し上げる。その結果、弁体部８２は開弁状態にある。なお、摺動部８３の外周を保護部材８１で覆った。この保護部材８１はゴム管より細く形成しているので、継手部材Ｊを取り付ける際に筒状部材Ｃは保護部材８１内に入り込むことができるが、ゴム管は保護部材８１に当接して摺動部８３に接触することができない。すなわち、この保護部材８１が阻害部材として機能する。そして、この実施の形態では、連結状態の筒状部材Ｃは露出しているので、継手部材Ｊを取り外す際には、筒状部材Ｃを直接把持して継手部材Ｊ側にスライドさせればよい。
【００２４】
なお、本発明は上記した形態に限定されるものではなく、本発明の要旨を逸脱しない範囲内において種々の変更を加えてもかまわない。
【符号の説明】
【００２５】
１  プラグユニット
２  プラグ本体
３  カバー
４  弁軸
５ａ  下カバー
５ｂ  上カバー
６  可動子
７  可動子
８  弁体
３２  可動子
４１  弁体
Ｃ  筒状部材
ＦＨ  ファンヒータ
Ｊ  継手部材
【図１】
2010210037.tif 000003
【図２】
2010210037.tif 000004
【図３】
2010210037.tif 000005
【図４】
2010210037.tif 000006
【図５】
2010210037.tif 000007
【図６】
2010210037.tif 000008
【図７】
2010210037.tif 000009